(57)【特許請求の範囲】
【請求項１】
１、「文章作成のための入力キーボード」として、
イ、「所定の当該キーを単独で押すこと」によって「所定の４５種のひらがな・カタカナの清音・撥音」を入力するために設定されたキーで、その配列が「ひらがなの五十音配列に従った九列五段の配列」である清音キー。
ロ、「所定の清音キーを押した直後に所定の当該キーを押すこと」によって「所定のひらがな・カタカナの濁音・半濁音・拗音・促音・長音」を入力し「所定の当該キーを押した直後に所定の清音キーを押すこと」によって「所定の字種」を入力するために設定されたキーで、その配列が「イの清音キーの九列五段の配列枠の枠外の所定の位置」に配置された濁音キー。
ハ、「所定の当該キーを単独で押すこと」によって「指定の位置に入力されている文字・数字・記号および指定の文章位置に対する文章作成のための操作命令」を行なうために設定されたキーで、その配列が「イの清音キーの九列五段の配列枠の枠外の所定の位置」に配置された文章作成キー。
の３種類の入力キーによってキー配列とキー入力機能が形成されていることを特徴とするキーボードであって、
２、「キー入力機能」としての
イ、「所定の清音キーを単独で押すこと」によって「所定の４５種のひらがな・カタカナの清音・撥音の入力」を行なわせるキー入力機能。
ロ、「所定の清音キーを押した直後に所定の濁音キーを押すこと」によって「所定のひらがな・カタカナの濁音・半濁音・拗音・促音・長音の入力」を行なわせるキー入力機能。
ハ、「所定の濁音キーを押した直後に所定の清音キーを押すこと」によって「ひらがな・カタカナ・英字・数字・記号の字種選択」を行なったのち、「所定の清音キーを押すこと」によって「所定の字種による文字・数字・記号の入力」を行なわせるキー入力機能。
ニ、「所定の文章作成キーを単独で押すこと」によって「指定の位置に入力されている文字・数字・記号および指定の文章位置に対する文章作成のための操作命令」を行ない「所定の文章作成操作」を行なわせるキー入力機能。
の４種類のキー入力機能を有することを特徴とする九列五段キーボード。
【請求項２】
「『請求項１』記載の九列五段キーボード」であって、「濁音キーおよび文章作成キー」を「清音キーの九列五段の配列枠の枠外の所定の位置」としての
イ、「清音キーの九列五段の配列枠の枠外の一段枠」の横一段の位置。
に配列配置し、キー盤面全体のキー配列枠を「上下に六段・左右に九列」としたことを特徴とする九列五段キーボード。
【請求項３】
「『請求項１』記載の九列五段キーボード」であって、「濁音キーおよび文章作成キー」を「清音キーの九列五段の配列枠の枠外の所定の位置」としての
イ、「清音キーの九列五段の配列枠の枠外の左右の各一列枠」の縦二列の位置。
に配列配置し、キー盤面全体のキー配列枠を「上下に五段・左右に十一列」としたことを特徴とする九列五段キーボード。
【発明の詳細な説明】
【技術分野】
【０００１】  本願発明は、「九列五段キーボードにおける文章作成キーの配列配置」に係る発明である。
ただし、本願発明において使用される用語としての「九列五段キーボード」「九列五段キーボード・六段式」「九列五段キーボード・十一列式」「清音キー」「濁音キー」「文章作成キー」の定義については、以下のとおりである。【０００２】  「九列五段キーボード」とは、
１、「文章作成のための入力キーボード」として、
イ、「所定の当該キーを単独で押すこと」によって「所定の４５種のひらがな・カタカナの清音・撥音」を入力するために設定されたキーで、その配列が「ひらがなの五十音配列に従った九列五段の配列」である清音キー。
ロ、「所定の清音キーを押した直後に所定の当該キーを押すこと」によって「所定のひらがな・カタカナの濁音・半濁音・拗音・促音・長音」を入力し「所定の当該キーを押した直後に所定の清音キーを押すこと」によって「所定の字種」を入力するために設定されたキーで、その配列が「イの清音キーの九列五段の配列枠の枠外の所定の位置」に配置された濁音キー。
ハ、「所定の当該キーを単独で押すこと」によって「指定の位置に入力されている文字・数字・記号および指定の文章位置に対する文章作成のための操作命令」を行なうために設定されたキーで、その配列が「イの清音キーの九列五段の配列枠の枠外の所定の位置」に配置された文章作成キー。
の３種類の入力キーによってキー配列とキー入力機能が形成されていることを特徴とするキーボードであって、
２、「キー入力機能」としての
イ、「所定の清音キーを単独で押すこと」によって「所定の４５種のひらがな・カタカナの清音・撥音の入力」を行なわせるキー入力機能。
ロ、「所定の清音キーを押した直後に所定の濁音キーを押すこと」によって「所定のひらがな・カタカナの濁音・半濁音・拗音・促音・長音の入力」を行なわせるキー入力機能。
ハ、「所定の濁音キーを押した直粳に所定の清音キーを押すこと」によって「ひらがな・カタカナ・英字・数字・記号の字種選択」を行なったのち、「所定の清音キーを押すこと」によって「所定の字種による文字・数字・記号の入力」を行なわせるキー入力機能。
ニ、「所定の文章作成キーを単独で押すこと」によって「指定の位置に入力されている文字・数字・記号および指定の文章位置に対する文章作成のための操作命令」を行ない「所定の文章作成操作」を行なわせるキー入力機能。
の４種類のキー入力機能を有することを特徴とするキーボード。
をいう。【０００３】  「九列五段キーボード・六段式」とは、
１、「九列五段キーボード」の一で、
２、「濁音キーおよび文章作成キー」を「清音キーの九列五段の配列枠の枠外の所定の位置」としての
イ、「清音キーの九列五段の配列枠の枠外の上部の一段枠」の横一段の位置。
に配列配置し、キー盤面全体のキー配列枠を「上下に六段・左右に九列」としたことを特徴とする九列五段キーボード。
をいう。【０００４】  「九列五段キーボード・十一列式」とは、
１、「九列五段キーボード」の一で、
２、「濁音キーおよび文章作成キー」を「清音キーの九列五段の配列枠の枠外の所定の位置」としての
イ、「清音キーの九列五段の配列枠の枠外の左右の各一列枠」の縦二列の位置。
に配列配置し、キー盤面全体のキー配列枠を「上下に五段・左右に十一列」としたことを特徴とする九列五段キーボード。
をいう。【０００５】  「九列五段キーボードにおける『清音キー』」とは、
１、「九列五段キーボード」における入力キーの一で、
２、「所定の位置における１個の当該キーを単独で押すこと」によって、
イ、「所定の４５種のひらがな・カタカナの清音・撥音」を入力する。
ロ、「字種選択が成されたのちの所定の英字・数字・記号」を入力する。
３、「所定の当該キーを押した直後に所定の濁音キーを押すこと」によって、
イ、「所定のひらがな・カタカナの濁音・半濁音・拗音・促音・長音」を入力する。
ために設定された「ひらがなの五十音配列に従った九列五段からなる配列配置が成された４５種の入力キー」。
をいう。【０００６】  「九列五段キーボードにおける『濁音キー』」とは、
１、「九列五段キーボード」における入力キーの一で、
２、「所定の清音キーを押した直後に所定の当該キーを押すこと」によって、
イ、「所定のひらがな・カタカナの濁音・半濁音・拗音・促音・長音」を入力する。
３、「所定の当該キーを押した直後に所定の清音キーを押すこと」によって、
イ、「所定の字種としてのひらがな・カタカナ・英字・数字・記号の字種選択」を行なう。
ロ、「所定のカーソルの移動と所定の句読点・カギ括弧の入力等」を行なう。
ために設定された「清音キーの九列五段の配列枠の枠外の所定の位置に配列配置された３種の入力キー」。
をいう。【０００７】  「九列五段キーボードにおける『文章作成キー』」とは、
１、「九列五段キーボード」における入力キーの一で、
２、「所定の位置における１個の当該キーを単独で押すこと」によって、
イ、「指定の位置に入力されている文字・数字・記号および指定の文章位置に対する文章作成のための操作命令」を行ない「所定の文章作成操作」を行なわせる。
ために設定された「清音キーの九列五段の配列枠の枠外の所定の位置に配列配置された実行キー・漢字変換キー・改行キー・空白キー・削除キー・後退キーの６種の入力キー」。
をいう。
【背景技術】
【０００８】  本願発明は、「『特許第６８２３７５５号である九列五段キーボード』における文章作成キーとしての『実行キー・漢字変換キー・改行キー・空白キー・削除キー・後退キー』の配置とその入力方法」を改良した発明である。【０００９】  すなわち、「『特許第６８２３７５５号である九列五段キーボード』における文章作成キーとしての『実行キー・漢字変換キー・改行キー・空白キー・削除キー・後退キー』の配置とその入力方法」については、
１、「特許第６８２３７５５号の明細書の『課題を解決するための手段』の『００１０』」において詳述しているように、また、「特許第６８２３７５５号の『図２』」において図示しているように、「文章作成キーとしての当該の６個のキー」は、
イ、「九列五段の清音キーの配列枠内の第一〜第三列の第一段と第二段」の枠内。
に集合的に配置されており、
２、文章作成に際しての入力操作としては、「まず所定の濁音キー３（第二濁音キー３）を押した直後にいずれかの所定の文章作成キーを押す」ことにより所定の文章作成を行なうものであるが、
３、この文章作成に際しての入力操作においては、「『まず所定の濁音キー３（第二濁音キー３）を押す操作』と『次いでいずれかの所定の文章作成キーを押す操作』の二段階のキー押し操作を行なわねばならない」という「入力操作の手順に二度押しの手間がかかる煩わしさと不便さ」があった。【００１０】  ちなみに、上記の「特許第６８２３７５５号の明細書の『課題を解決するための手段』の『００１０』」の文章は以下のとおりである。
４、従来のキーボードが持っていた
イ、「文章作成操作のための実行・空白・削除・後退・漢字変換・改行等の操作キーの配列」が文字キーの周辺部に規則性・統一性もなく配置されているために、操作キーを確実に押すためにはそのつどにキー名とキー位置の視覚的確認を行なわねばならない煩わしさがあった。
との課題に対して、「図２」に示すように、
ロ、所定の濁音キー３（第二濁音キー３）を押した直後に「清音キー列の第一〜第三列の一定範囲内に集合的かつ規則的統一的に配置された所定の文章作成操作用の清音キー２」を押すことによって「規則性・統一性があり覚えやすい操作キー名とキー位置の選択」ができるようになり、この「操作キーの素早く的確な選択と決定」により文章作成を滑らかに行なうことができるようになったこと。
により、「イの課題」を解決するものである。【００１１】  すなわちまた、本願発明は、「特許第６８２３７５５号である九列五段キーボード」における文章作成に際しての上記の「入力操作の手順に二度押しの手間がかかる煩わしさと不便さ」を解消した発明である。【００１２】  なお、「特許第６８２３７５５号である九列五段キーボード」とは、
１、従来の『ＪＩＳ配列キーボード』が「キーボードとして固有していた難点・欠点」としての
イ、キー数が１００個前後ほどもあり、体積・面積が大で机上における場所塞ぎの難点と重量が重く移動させにくい難点・欠点があった。
ロ、ひらがなキーの配列が規則性・統一性もなく無秩序になされていたために和文作成に際してはキー名とキー位置を覚えるのが困難であり、ブラインドタッチが出来にくい難点・欠点があった。
ハ、字種としての「ひらがな・カタカナ・英小文字・英大文字・洋数字・漢数字・記号類等」の選択方法と表示キー位置に規則性・統一性がないことでキー名とキー位置が覚えにくく字種選択に際しては素早く的確な選択をしにくい難点・欠点があった。
ニ、「文章作成操作のための実行・漢字変換・改行・空白・削除・後退等の操作キーの配列」が文字キーの周辺部に規則性・統一性もなく配置されているために、操作キーを確実に押すためにはそのつどにキー名とキー位置の視覚的確認を行なわねばならない煩わしさと不便さがあった。
との難点・欠点に対して、
２、キー数をほぼ半減させ、ひらがなキー・字種選択キー・文章作成キーの配列配置に規則性・統一性を与えることにより、上記の「ＪＩＳ配列キーボードにおける難点・欠点」を解消し、使用利便性を格段に向上させたキーボードである。
【先行技術文献】
【００１３】
【特許文献１】１、本願出願を行なう原因となった特許文献としての「特願２０２０−１５２３９３」で「特許第６８２３７５５号」である特許文献。
【非特許文献】
【００１４】  特許出願人が「文章作成キーの配列およびキー入力方法が本願発明に近似もしくは類似すると考えられるキー配列およびキー入力方法に関連する非特許文献」をインターネット検索およびｊ−ｐｌａｔｐａｔ検索によって探してみたが適当な参考文献は見つからなかった。
【発明が解決しようとする課題】
【００１５】  「特許第６８２３７５５号である九列五段キーボード」が持っていた上記の背景技術において述べた「文章作成に際しての入力操作における難点・欠点」としての
イ、その文章作成に際しての入力操作においては、「『まず所定の濁音キー３（第二濁音キー３）を押す操作』と『次いでいずれかの所定の文章作成キーを押す操作』の二段階のキー押し操作を行なわねばならない」という「入力操作の手順に二度押しの手間がかかる煩わしさと不便さがあった」との難点・欠点。
を解消することを課題とする。
【課題を解決するための手段】
【００１６】  本願発明は、文章作成キー４の配列配置について、
１、「特許第６８２３７５５号である九列五段キーボードにおける図面の『図２』」で図示するように「特許第６８２３７５５号である九列五段キーボードにおける文章作成キーの配列配置方式」としての「九列五段の清音キーの配列枠内の第一列〜第三列の第一段と第二段の枠内に集合的に配置された方式」を改め、
２、文章作成キー４を「九列五段の清音キー２の配列枠内」から分離し、
イ、「九列五段キーボード・六段式」すなわち「本願発明の図面の『図１』〜『図６』」で図示するような「清音キーの九列五段の配列枠の枠外の上部の一段枠の横一段の位置に濁音キー３と並んで配列配置された方式」。
もしくは、
ロ、「九列五段キーボード・十一列式」すなわち「本願発明の図面の『図７』〜『図１２』」で図示するような「清音キーの九列五段の配列枠の枠外の左右の各一列枠の縦二列の位置に濁音キー３と並んで配列配置された方式」。
に変えることによって、文章作成キー４の入力操作の手順に「第二濁音キー３を押したのちに文章作成キー４を押すという二度押しの手間がかかる煩わしさと不便さ」を解消し、
３、「文章作成キー４のみの一度押し操作」によって「所定の文章作成操作としての実行・漢字変換・改行・空白・削除・後退の各操作」を素早く的確に行なうものである。
【００１７】  なお、「『九列五段キーボード・六段式』における文章作成キー４による文章入力の方法」については、後述の「『発明を実施するための形態』における『実施例４』」において説明するとおりである。
【発明の効果】
【００１８】  本願発明においては、
１、「九列五段キーボード１における文章作成キー４の配列配置方式」としては、「特許第６８２３７５５号である九列五段キーボードにおける文章作成キーの配列配置方式」としての「九列五段の清音キーの配列枠内の第一列〜第三列の第一段と第二段の枠内に集合的に配置された方式」を改め、
２、「九列五段キーボード・六段式」もしくは「九列五段キーボード・十一列式」におけるような
イ、「文章作成キー４」が「九列五段の清音キー２の配列枠の枠外に設けられた横一列の枠もしくは縦二列の枠」に濁音キー３と並んで配列配置された方式。
に変えることによって、
３、文章作成キー４の入力操作の手順において「第二濁音キー３を押したのちに文章作成キーを押すという二度押しの手間がかかる煩わしさと不便さ」を解消するものであり、
４、「文章作成キー４のみの一度押し操作」によって所定の文章作成操作すなわちまた文章作成を素早く的確に行なえる効果と利便性がある。
【００１９】  「九列五段キーボード・十一列式」においては、濁音キーと文章作成キーは「九列五段の清音キーの配列枠の外側の左右の縦一列枠」に設定されているために、キー盤面全体のキー配列枠が「上下に五段」となっており、「手指におけるキー押し操作に際しての前後運動」を最小にすることができるために、「長時間入力に伴う手首や腕全体の疲労」を抑えることができる効果と利便性がある。
【００２０】  本願発明においては、後述の「実施例７」で説明するように、
１、文字入力にせよ文章作成入力にせよそのすべての入力において「（ＪＩＳ配列キーボードのｓｈｉｆｔキー使用時のように）所定の組み合わせからなる２個のキーを同時に押して所定の入力を行なうこと」はなく、「いずれかの所定の１個のキーのみを順次に押して所定の入力を行なう」ものであり、
２、したがって、キー押し操作を必ずしも指先で行なう必要はなく、例えば、
イ、「タッチペンのような鋭利な先端を持つ細い棒のような器具」を用いてキー上面を１個ずつ順次に押してすべての文字入力と文章作成入力を行なうこと。
も十分に可能であるから、この棒の太さに合わせて「キーピッチを５ｍｍ程度にまで縮小した極小キーボード」としても入力は可能となるものである。
３、この「極小キーボード」の場合、キーボードの面積的大きさを縦４ｃｍ横６ｃｍ程度の大きさにまで縮小することが可能となり、例えば、
イ、「ボタン式キーもしくはタッチパネル式キーからなる携帯キーボード」として使用することができる効果と利便性がある。
ロ、画面の面積的制限の厳しいスマートフォンやタブロイドパソコンにアプリとして搭載し「上記のタッチペン等の細い棒の先端やその先端が細い指先装着器具等でタッチパネルのキー画面の所定キーのキー押しをして所定の入力をしたがってまた所定の文章作成を行なうキーボード」として使用することができる効果と利便性がある。
ハ、したがってまた、「タッチパネルのキー画面におけるトグル入力方式やフリック入力方式よりも正確かつ迅速な入力」を行なうことができる効果と利便性がある。
【図面の簡単な説明】
【００２１】１、『図１』は「九列五段キーボード・六段式の盤面図」を示し、『図７』は「九列五段キーボード・十一列式の盤面図」を示し、それぞれの盤面図は「清音キー２・濁音キー３・文章作成キー４の配列図」である。
ただし、その配列図としては、
イ、「４５種の清音キー２の配列配置」を示し、キー名としてのひらがなは「該当キーのひらがな」をそれぞれ表記する。
ロ、「３種の濁音キー３としての第一濁音キー３・第二濁音キー３・第三濁音キー３の配列配置」を示す。
ハ、「６種の文章作成キー４としての『実行キー・漢字変換キー・改行キー・空白キー・削除キー・後退キー』の配列配置」を示し、キー名としての「実」は「実行」、「漢」は「漢字変換」、「改」は「改行」、「空」は「空白」、「削」は「削除」、「後」は「後退」、の各文章作成操作をそれぞれ表記する。
２、『図２』は「九列五段キーボード・六段式の盤面図」を示し、『図８』は「九列五段キーボード・十一列式の盤面図」を示し、それぞれの盤面図は「６種の文章作成キー４の配列図」「字種選択を行なうための字種配列図」「文章作成に際しての操作命令および頻用記号の配列図」である。
ただし、各字・各記号における字種・操作内容は以下のイ〜ニのとおりであり、かつ、「これらの配列図における字種選択およびは頻用記号の入力」は、「第二濁音キー３を押したのち当該キーを押すこと」によって成立する。
イ、「ひ」は「ひらがな」、「カ」は「カタカナ」、「Ｑ」は「ＱＷＥＲＴＹ配列図」、「Ａ」は「ＡＢＣＤＥＦ配列図」、「大」は「英大文字」、「数」は「洋数字・漢数字・数字関連漢字・数字関連記号」、「記」は「括弧記号・頻用記号」、をそれぞれ表記する。
ロ、「全」は「全角」、「半」は「半角」、「左」は「カーソルの左動」、「上」は「カーソルの上動」、「右」は「カーソルの右動」、「下」は「カーソルの下動」、「頭」は「カーソルの行頭移動」、「末」は「カーソルの行末移動」、「太」は「太字」、「斜」は「斜字」、「線」は「下線」、「挿」は「挿入」、「前」は「前頁」、「次」は「次頁」、をそれぞれ表記する。
ハ、頻用記号としての「、」は「読点」、「。」は「句点」、「・」は「中黒」、をそれぞれ表記する。
ニ、「括弧記号」については表記記号のとおりとする。
３、『図３』は「九列五段キーボード・六段式の盤面図」を示し、『図９』は「九列五段キーボード・十一列式の盤面図」を示し、それぞれの盤面図は「６種の文章作成キー４の配列図」「ＱＷＥＲＴＹ配列の英小文字の配列図」「英文用頻用記号の配列図」である。
４、『図４』は「九列五段キーボード・六段式の盤面図」を示し、『図１０』は「九列五段キーボード・十一列式の盤面図」を示し、それぞれの盤面図は「６種の文章作成キー４の配列図」「ＡＢＣＤＥＦ配列の英小文字の配列図」「英文用頻用記号の配列図」である。
５、『図５』は「九列五段キーボード・六段式の盤面図」を示し、『図１１』は「九列五段キーボード・十一列式の盤面図」を示し、それぞれの盤面図は「６種の文章作成キー４の配列図」「洋数字・漢数字・数字関連漢字・数字関連記号の配列図」である。
６、『図６』は「九列五段キーボード・六段式の盤面図」を示し、『図１２』は「九列五段キーボード・十一列式の盤面図」を示し、それぞれの盤面図は「６種の文章作成キー４の配列図」「頻用記号の配列図」である。
【発明を実施するための形態】
【実施例１】
【００２２】  「『九列五段キーボード・六段式』における文章入力の方法」については、
１、「ひらがな・カタカナ・漢字・英字・数字・記号の入力方法」は、以下の「実施例２」「実施例３」に述べるとおりとする。
２、「文章作成キー４による文章の入力方法」は、以下の「実施例４」に述べるように、「特許第６８２３７５５号である九列五段キーボードにおける文章の入力方法」を改良した「文章作成キー４の一度押し操作による文章入力の方法」とする。
【実施例２】
【００２３】  「和文作成」に際しての「九列五段キーボード１の盤面の清音キー２および濁音キー３を使っての『ひらがな』『カタカナ』の入力方法」については、「図１」「図２」を参照図として、以下の１〜１０のとおりである。
１、「ひらがなの入力方法」については、「図２」を参照図として、
イ、「第二濁音キー３」を押した直後に「ひキー」を押して字種を「ひらがな」としたのち「該当のひらがな」を以下の２〜９のように入力する。
２、「清音」としての「あ・い・う・え・お・か・き・く・け・こ・さ・し・す・せ・そ・た・ち・つ・て・と・な・に・ぬ・ね・の・は・ひ・ふ・へ・ほ・ま・み・む・め・も・や・ゆ・よ・わ・ら・り・る・れ・ろ」および「撥音」としての「ん」の入力方法については、
イ、「『図１で図示する当該のキー名の清音キー』を単独で押すこと」によってそれぞれ入力する。
３、「濁音」としての「が・ぎ・ぐ・げ・ご・ざ・じ・ず・ぜ・ぞ」の入力方法については、
イ、「清音キーとしての『か・き・く・け・こ・さ・し・す・せ・そ』のそれぞれのキーを押した直後に第一濁音キー３を押すこと」によってそれぞれ入力する。
４、「濁音」としての「だ・ぢ・づ・で・ど・ば・び・ぶ・べ・ぼ」の入力方法については、
イ、「清音キーとしての『た・ち・つ・て・と・は・ひ・ふ・へ・ほ』のそれぞれのキーを押した直後に第二濁音キー３を押すこと」によってそれぞれ入力する。
５、「半濁音」としての「ぱ・ぴ・ぷ・ぺ・ぽ」の入力方法については、
イ、「清音キーとしての『な・に・ぬ・ね・の』のそれぞれのキーを押した直後に第二濁音キー３を押すこと」によってそれぞれ入力する。
６、「拗音」としての「ぁ・ぃ・ぅ・ぇ・ぉ」の入力方法については、
イ、「清音キーとしての『あ・い・う・え・お』のそれぞれのキーを押した直後に第一濁音キー３を押すこと」によってそれぞれ入力する。
７、「拗音」としての「ゃ・ゅ・ょ」の入力方法については、
イ、「清音キーとしての『や・ゆ・よ』のそれぞれのキーを押した直後に第三濁音キー３を押すこと」によってそれぞれ入力する。
８、「促音」としての「っ」の入力方法については、
イ、「清音キーとしての『ま』のキーを押した直後に第三濁音キー３を押すこと」によって入力する。
９、「長音」としての「ー」の入力方法については、
イ、「清音キーとしての『ら』のキーを押した直後に第三濁音キー３を押すこと」によって入力する。
１０、「カタカナ」の入力方法については、「図２」を参照図として、
イ、「第二濁音キー３」を押した直後に「カキー」を押して字種を「カタカナ」としたのち、「上記の２〜９におけるひらがなの入力方法」と同様の方法で「該当のカタカナ」を入力する。
１１、「図２における清音キー枠内に表記された句読点・カギ括弧」の入力方法については、「図２」を参照図として、
イ、「第二濁音キー３」を押した直後に「当該キー」を押して入力する。
１２、「漢字」の入力方法については、
イ、「上記の２〜９の方法で入力したひらがなの一単語もしくは一文章」に対して「その確定前に『漢キー』を押して漢字変換を行なうこと」によって入力する。
ロ、「候補漢字の選択と確定」は、「『漢キー』を選択漢字に至るまで反復的に押し続け当該漢字に至った時点で『実キー』を押すこと」によって確定する。
【実施例３】
【００２４】  「九列五段キーボード１の盤面の清音キー２および濁音キー３を使っての『英字』の入力方法」については、「図２」「図３」「図４」を参照図として、以下の１〜３のとおりである。
１、「図２」を参照図として、「第二濁音キー３」を押した直後に「Ｑキー」を押して英字配列を『ＱＷＥＲＴＹ配列』とするか、もしくは「第二濁音キー３」を押した直後に「Ａキー」を押して英字配列を『ＡＢＣＤＥＦ配列』としたのち、「該当のアルファベット」を「英小文字」として入力する。
２、「図２」を参照図として、「英大文字」は該当の文字を入力する前に「第二濁音キー３」を押した直後に「大キー」を押して字種を『英大文字』としたのち、「該当のアルファベット」を「英大文字」として入力する。
３、「英字用の頻用記号」は、英文入力中に「図３」「図４」に示す「該当の記号キー」を押して入力する。【００２５】  「九列五段キーボード１の盤面の清音キー２および濁音キー３を使っての『数字』の入力方法」については、「図２」「図５」を参照図として、以下の１のとおりである。
１、「図２」を参照図として、「第二濁音キー３」を押した直後に「数キー」を押して字種を『数字』としたのち、「図５」に示す「該当の洋数字・漢数字・数字関連用語・数字関連記号のキー」を押して入力する。【００２６】  「九列五段キーボード１の盤面の清音キー２および濁音キー３を使っての『記号』の入力方法」については、「図２」「図６」を参照図として、以下の１のとおりである。
１、「図２」を参照図として、「第二濁音キー３」を押した直後に「記キー」を押して字種を『記号』としたのち、「図６」に示す「該当の括弧記号・頻用記号のキー」を押して入力する。
【実施例４】
【００２７】１、「『九列五段キーボード・六段式』における文章作成キー４による文章入力の方法」については、「図１」〜「図６」を参照図として、いずれの字種の場合においても、
イ、「実キーのみ」を単独で押すことによって、「実行操作」を行なう。
ロ、「漢キーのみ」を単独で押すことによって、「漢字変換操作」を行なう。
ハ、「改キーのみ」を単独で押すことによって、「改行操作」を行なう。
ニ、「空キーのみ」を単独で押すことによって、「空白操作」を行なう。
ホ、「削キーのみ」を単独で押すことによって、「削除操作」を行なう。
ヘ、「後キーのみ」を単独で押すことによって、「後退操作」を行なう。
ものである。
２、したがって、文章作成操作に際しては「特許第６８２３７５５号である九列五段キーボードにおいて行なわれる『文章作成キーを押す前段階操作としての濁音キー（第二濁音キー３）を押す操作』」は必要ないものであり、「文章作成キーの入力操作の手順」において「第二濁音キー３を押したのちに文章作成キーを押すという二度押しの手間が掛かる煩わしさと不便さ」は解消されているものである。
【実施例５】
【００２８】  「『九列五段キーボード・六段式』におけるキーボード１」においては、「図１」〜「図６」に図示されているように、「４５個の各清音キー２」はそれぞれ「所定のキー機能としての５〜６種の『文章作成に際しての操作命令機能』および『字種に対応しての所定の清音・英字・数字・記号の入力機能』」を受け持つものであり、例えば、
イ、「あキー」は、「あ」「・」「ｏ」「ｉ」「千」「（株）」の６種類。
ロ、「なキー」は、「な」「ｔ」「ｅ」「八」「※」の５種類。
のキー機能を受け持ち、「九列五段の清音キー枠内でのその機能総数」は「図１」〜「図６」に図示されている計２５５個もの多数に及ぶこととなる。
このため、使用者とりわけ初級使用者としてはそのキー機能名をすべて覚えることはほぼ不可能であるから、
１、「ボタン式キー」の場合には、各清音キー２の上面もしくは側面も含めてのキー面にこれらの６個もしくは５個のキー機能のそれぞれを字種別に色分けして印字表記しておけば、使用者は「当該の印字を目で見ての間違いのない素早く的確なキー選択とキー押し操作」が可能となり、キー探しに迷うことはない。
２、「タッチパネル式キー」の場合には、４５個の清音キー２のすべてのキー画面において、字種の切り替えに応じてそのつどにキー画面全体の４５個の表示が瞬時に切り変わり「図１」〜「図６」に示すとおりの「字種ごとの文字・数字・記号の画面表示」がなされるようにしておけば、使用者は「当該の画面表示を目で見ての間違いのない素早く的確なキー選択とキー押し操作」が可能となり、キー探しに迷うことはない。
【実施例６】
【００２９】  上記の「実施例１」〜「実施例５」は「『九列五段キーボード・六段式』におけるキー入力方法およびキー操作方法」であるが、
１、「『九列五段キーボード・六段式』と『九列五段キーボード・十一列式』は、濁音キーと文章作成キーの配列位置が相違するものの「清音キーの配列配置は相互に同一」であり、かつ、「キー名が同一」であれば「清音キー・濁音キー・文章作成キーの入力機能および操作機能はいずれも相互に同等同様」である。
２、したがって、「『九列五段キーボード・十一列式』におけるキー入力方法およびキー操作方法」は、「上記の『実施例１』〜『実施例５』において示す『九列五段キーボード・六段式におけるキー入力方法およびキー操作方法』と同等同様のキー入力方法およびキー操作方法」とする。
【実施例７】
【００３０】  本願発明の九列五段キーボード１においては、
１、文字入力にせよ文章作成入力にせよそのすべての入力において「（ＪＩＳ配列キーボードのｓｈｉｆｔキー使用時のように）所定の組み合わせからなる２個のキーを同時に押して所定の入力を行なうこと」はなく、「いずれかの所定の１個のキーのみを順次に押して所定の入力を行なう」ものであり、
２、したがって、キー押し操作を必ずしも指先で行なう必要はなく、例えば、
イ、「タッチペンのような鋭利な先端を持つ細い棒のような器具」を用いてキー上面を１個ずつ順次に押してすべての文字入力と文章作成入力を行なうこと。
も十分に可能であるから、この棒の太さに合わせて「キーピッチを５ｍｍ程度にまで縮小した極小キーボード」としても入力は可能となるものである。
３、この「極小キーボード」の場合、キーボードの面積的大きさを縦４ｃｍ横６ｃｍ程度の大きさにまで縮小することが可能となり、例えば、
イ、「ボタン式キーもしくはタッチパネル式キーからなる携帯キーボード」として使用することが可能となるものである。
ロ、画面の面積的制限の厳しいスマートフォンやタブロイドパソコンにアプリとして搭載し「上記のタッチペン等の細い棒の先端やその先端が細い指先装着器具等でタッチパネルのキー画面の所定キーのキー押しをして所定の入力をしたがってまた所定の文章作成を行なうキーボード」として使用することが可能となるものである。
ハ、したがってまた、「タッチパネルのキー画面におけるトグル入力方式やフリック入力方式よりも正確かつ迅速な入力」が可能となるものである。
【実施例８】
【００３１】  本願発明の「タッチパネル式キー」においては画面の全面が一枚のタッチパネル板として形成されていて各キー間に物理的境界がないために、各キーを押すに際しては指先が「２個から４個の複数のキー」を同時に押して入力を混乱させてしまう恐れがあるが、
１、「この誤入力を発生させる事態」を防止するためにも、タッチパネルの画面全体の表面において「各キーごとにキー枠を形成する例えば高さ１ｍｍ程度の物理的な盛り上がりからなる桝目形状の枠」を設置し各キーの境界を明確に形成すると「指先が確実に希望する１キー枠内のみを押すこと」が出来るようになり、
２、「指先が複数キーを同時に押して入力を混乱させて誤入力を発生させてしまう事態」を防止することができるものである。
【実施例９】
【００３２】１、「九列五段キーボード・六段式」と「九列五段キーボード・十一列式」のいずれのキーボードにおいても、全面一体型のキーボードではあるが、使用者の前面の机上に諸作業用の空き面積を設定することを目的として、「キーボードの盤面を適宜の位置において縦方向に二分割し左手使用キーボードと右手使用キーボードに分離した左右二分割型キーボード」としてもよい。
２、「九列五段キーボード・六段式」と「九列五段キーボード・十一列式」のいずれのキーボードにおいても、「濁音キー・実行キー・漢字変換キー・改行キー・空白キー・削除キー・後退キーの相互の配列の位置関係」はどの配列の位置関係であってもよい。
３、「九列五段キーボード・六段式」における濁音キーと文章作成キーは、本願発明の九列五段キーボードにおいては、「清音キーの九列五段の配列枠の枠外の上部の一段枠の横一段の位置」に設定しているが、「清音キーの九列五段の配列枠の枠外の下部の一段枠の横一段の位置」に設定してもよい。
４、「九列五段キーボード・十一列式」における濁音キーと文章作成キーは、本願発明の九列五段キーボードにおいては、「清音キーの九列五段の配列枠の枠外の左右の一列枠の縦二列の位置」に設定しているが、「清音キーの九列五段の配列枠の枠外の左側縦二列の位置もしくは右側縦二列の位置」に設定してもよい。
【符号の説明】
【００３３】  １は、九列五段キーボード。２は、清音キー。３は、濁音キー。４は、文章作成キー。
【要約】
【課題】「特許第６８２３７５５号である九列五段キーボード」が持っていた「まず所定の濁音キー３（第二濁音キー３）を押す操作と次いでいずれかの所定の文章作成キーを押す操作の二段階のキー押し操作をして文章作成を行なわねばならないという文章作成のための入力操作の手順に二度押しの手間がかかる煩わしさと不便さ」を解消する。
【解決手段】「文章作成キー４の配列配置の方式」を「『九列五段の清音キー２の配列枠の枠外上部の一段』もしくは『九列五段の清音キー２の配列枠の枠外の左右の一列』に濁音キー３と並んで配列配置された方式」とすることによって、文章作成キー４の入力操作の手順に二度押しの手間がかかる煩わしさと不便さを解消し「文章作成キー４のみの一度押し操作」によって所定の文章作成操作を素早く簡単に行なう。
【選択図】図１【図１】
0006941748.tif 000002
【図２】
0006941748.tif 000003
【図３】
0006941748.tif 000004
【図４】
0006941748.tif 000005
【図５】
0006941748.tif 000006
【図６】
0006941748.tif 000007
【図７】
0006941748.tif 000008
【図８】
0006941748.tif 000009
【図９】
0006941748.tif 000010
【図１０】
0006941748.tif 000011
【図１１】
0006941748.tif 000012
【図１２】
0006941748.tif 000013